(57)【要約】【課題】組み立てや解体が容易であり、床版の直下における作業性や安全性に優れた足場の施工方法を提供する【解決手段】各列の杭２１０の両側面の足場架設レベルに取り付けられた吊り金具１１１，１１２にＰＣ鋼より線１２０を支承させて各列の杭２１０の周囲に配設し、各列の一方の端部の杭２１０に取り付けられた定着金具１１３にＰＣ鋼より線１２０の端部を定着し、そのＰＣ鋼より線１２０を緊張して定着金具１１３に定着し、そのＰＣ鋼より線１２０上に鋼管１３０を敷き並べ、敷き並べられた鋼管１３０上にエキスパンドメタル１４０を敷き並べる。【選択図】        図１
2008215031.tif 000002
【特許請求の範囲】
【請求項１】
複数列の杭に支持される床版の直下に足場を施工するに当たり、各列の杭の両側面の足場架設レベルにＰＣケーブルを支承する支承部材を取り付け、ＰＣケーブルを前記支承部材に支承させて各列の杭の周囲に配設し、該ＰＣケーブルを緊張して定着し、該ＰＣケーブル上に作業床を施工することを特徴とする足場の施工方法。
【発明の詳細な説明】
【技術分野】
【０００１】
本発明は、複数列の杭に支持される床版の直下に施工する足場の施工方法に関する。
【背景技術】
【０００２】
従来より、複数列の杭に床版が支持された橋梁や桟橋等の構造物の下面を対象とした点検や塗装や補修等を行う場合、その床版の直下に足場を一時的に設置し、作業足場として使用している。
【０００３】
このような足場は一般に、地表面から組み上げられているが、例えば桟橋のように、地表面から足場を組み上げることが不可能な場合には、吊り足場が採用されている。
【０００４】
この吊り足場は、床版の下面にアンカー材を打ち込み、そのアンカー材から吊りチェーンで鋼管を吊り、その鋼管上に足場板を敷き並べて足場床とするものである（例えば、特許文献１参照。）。
【特許文献１】特開２００２−６９９３０号公報（図６）
【発明の開示】
【発明が解決しようとする課題】
【０００５】
しかしながら、上述した吊り足場は、多数のアンカー材を床版の下面に打ち込む必要があるため、組み立てや解体に多大な時間や労力を要する。また、多数の吊りチェーンが吊り足場上に存在することとなるため、その吊りチェーンが点検や塗装や補修等の作業の妨げとなるおそれがあり、作業性が悪いといった問題がある。さらに、その吊りチェーンが作業時における危険要素となるおそれもある。
【０００６】
本発明は、上記事情に鑑み、組み立てや解体が容易であり、床版の直下における作業性や安全性に優れた足場の施工方法を提供することを目的とするものである。
【課題を解決するための手段】
【０００７】
上記目的を達成する本発明の足場の施工方法は、複数列の杭に支持される床版の直下に足場を施工するに当たり、各列の杭の両側面の足場架設レベルにＰＣケーブルを支承する支承部材を取り付け、ＰＣケーブルを上記支承部材に支承させて各列の杭の周囲に配設し、そのＰＣケーブルを緊張して定着し、そのＰＣケーブル上に作業床を施工することを特徴とする。
【０００８】
本発明の足場の施工方法は、各列の杭の両側面の足場架設レベルに取り付けられた支承部材にＰＣケーブルを支承させて各列の杭の周囲に配設し、そのＰＣケーブルを緊張して定着し、そのＰＣケーブル上に作業床を施工する方法である。従って、本発明の足場の施工方法によれば、従来の吊り足場に比して、組み立てや解体が容易であるため、足場工の施工日数を短縮することができ、施工費が抑制される。また、本発明の足場の施工方法によれば、足場上に作業の妨げとなる吊りチェーン等が存在しないこととなるため、床版の直下における作業性や安全性に優れる。
【発明の効果】
【０００９】
本発明の足場の施工方法によれば、従来の吊り足場に比して、組み立てや解体が容易であり、床版の直下における作業性や安全性に優れる。
【発明を実施するための最良の形態】
【００１０】
以下、図面を参照して本発明の実施の形態を説明する。
【００１１】
図１は、本発明の足場の施工方法についての一実施形態を説明するもので、足場１００および足場１００が施工された桟橋２００の縦断面図である。また、図２は、図１に示す足場１００の施工方法における第１の工程を示す平面図である。また、図３は、図２に示すＡ部の拡大図である。また、図４は、図３に示すＢ矢視図であり、図５は、図３に示すＣ矢視図であり、図６は、図３に示すＤ矢視図であり、図７は、図３に示すＥ矢視図である。
【００１２】
図１には、５列の杭２１０に床版２２０が支持された桟橋２００が示されている。また、この図１には、桟橋２００の床版の直下に施工された足場１００も示されている。
【００１３】
以下、この図１に示す足場１００の施工方法を説明する。
【００１４】
まず、図２〜図７に示すように、各列の杭２１０の両側面の足場架設レベルにＰＣ鋼より線１２０を支承する吊り金具１１１，１１２をボルト１１４を用いて取り付け、各列の一方の端部の杭２１０にＰＣ鋼より線１２０の端部を定着する定着金具１１３をボルトを用いて取り付ける。このＰＣ鋼より線１２０は、本発明にいうＰＣケーブルの実施例である。
【００１５】
次に、ＰＣ鋼より線１２０を吊り金具１１１，１１２に支承させて各列の杭２１０の周囲に配設し、ＰＣ鋼より線１２０を、図示しないジャッキを用いて緊張し、定着金具１１３に定着する。
【００１６】
ここで、図３〜図５に示す、各列の一方の端部の杭２１０に取り付けられた吊り金具１１１は、取り付け状態において上部が解放されるコの字型形状の、本発明にいう支承部材の第１実施例であって、ＰＣ鋼より線１２０を上方から差し入れて支承させる。
【００１７】
また、図３，図６，図７に示す、上記一方の端部を除く各列の杭２１０に取り付けられた吊り金具１１２は、取り付け状態において両側部が解放される箱型形状の、本発明にいう支承部材の第２実施例であって、ＰＣ鋼より線１２０を側方から挿入して配設する。
【００１８】
尚、ここでは、本発明にいう支承部材の実施例として、上述した２種類の吊り金具の例を挙げて説明したが、本発明にいう支承部材はこれに限られるものではなく、ＰＣケーブルを支承するものであればいかなる形状のものであってもよい。
【００１９】
図８は、図１に示す足場１００の施工方法における第２の工程を示す平面図である。
【００２０】
図８に示すように、各列の杭２１０の周囲に配設して定着したＰＣ鋼より線１２０上に鋼管１３０を敷き並べる。
【００２１】
最後に、敷き並べられた鋼管１３０上に、作業床としてのエキスパンドメタル１４０を敷き並べる。
【００２２】
図９は、本発明の他の実施形態を説明する平面図である。
【００２３】
図９に示すように、各列の両端部の杭２１０にＰＣ鋼より線１２１，１２２の端部を定着する定着金具１１３を取り付け、各列の杭２１０のうちの中央の杭２１１を境に分割した各杭列の周囲にぞれぞれのＰＣ鋼より線１２１，１２２を配設してジャッキを用いて緊張し、定着金具１１３に定着してもよい。
【００２４】
以上説明したように、本実施形態の足場の施工方法によれば、従来の吊り足場に比して、組み立てや解体が容易であるため、足場工の施工日数を短縮することができ、施工費が抑制される。また、本実施形態の足場の施工方法によれば、足場１００上に作業の妨げとなる吊りチェーン等が存在しないこととなるため、床版２２０の直下における作業性や安全性に優れる。
【００２５】
尚、上述した実施形態では、本発明の足場の施工方法が、桟橋の床版の直下に施工する足場の施工方法である例を挙げて説明したが、本発明の足場の施工方法はこれに限られるものではなく、複数列の杭に支持される床版の直下に施工する足場の施工方法に適用することができる。
【図面の簡単な説明】
【００２６】
【図１】本発明の足場の施工方法についての一実施形態を説明するもので、足場および足場が施工された桟橋の縦断面図である。
【図２】図１に示す足場の施工方法における第１の工程を示す平面図である。
【図３】図２に示すＡ部の拡大図である。
【図４】図３に示すＢ矢視図である。
【図５】図３に示すＣ矢視図である。
【図６】図３に示すＤ矢視図である。
【図７】図３に示すＥ矢視図である。
【図８】図１に示す足場１００の施工方法における第２の工程を示す平面図である。
【図９】本発明の他の実施形態を説明する平面図である。
【符号の説明】
【００２７】
１００    足場
１１１，１１２    吊り金具
１１３    定着金具
１１４    ボルト
１２０，１２１，１２２    ＰＣ鋼より線
１３０    鋼管
１４０    エキスパンドメタル
２００    桟橋
２１０，２１１    杭
２２０    床版
【図１】
2008215031.tif 000003
【図２】
2008215031.tif 000004
【図３】
2008215031.tif 000005
【図４】
2008215031.tif 000006
【図５】
2008215031.tif 000007
【図６】
2008215031.tif 000008
【図７】
2008215031.tif 000009
【図８】
2008215031.tif 000010
【図９】
2008215031.tif 000011